(57)【要約】【課題】  ＯＦＤＭ受信機の伝送路特性を周波数軸上に関連付けて画面に表示することで伝送路特定の把握を容易とするＯＦＤＭ受信機を提供する。【解決手段】  受信したＯＦＤＭ信号をフーリエ変換するＦＦＴ部１４と、ＦＦＴ部にてフーリエ変換されたＯＦＤＭ信号のサブキャリアを復調してサブキャリア復調情報を出力し、このサブキャリア復調情報に基づいて複数の周波数に対応するＭＥＲ信号とＩＱ信号の少なくとも一方を出力する復調部１５と、復調部からのＭＥＲ信号とＩＱ信号の少なくとも一方を出力する出力部１７をもつＯＦＤＭ受信機。【選択図】図１
2011239039.tif 000002
【特許請求の範囲】
【請求項１】
受信したＯＦＤＭ信号をフーリエ変換するＦＦＴ部と、
前記ＦＦＴ部にてフーリエ変換されたＯＦＤＭ信号のサブキャリアを復調してサブキャリア復調情報を出力し、このサブキャリア復調情報に基づいて複数の周波数に対応するＭＥＲ信号とＩＱ信号の少なくとも一方を出力する復調部と、
前記復調部からのＭＥＲ信号とＩＱ信号の少なくとも一方を出力する出力部と、
を具備することを特徴とするＯＦＤＭ受信機。
【発明の詳細な説明】
【技術分野】
【０００１】
この発明は、ＯＦＤＭ受信機であって、伝送路特性であるＩＱ（Inverse Quantization）とＭＥＲ（Modulation Error Ratio）の特性を外部のＰＣ等に表示させるＯＦＤＭ受信機に関する。
【背景技術】
【０００２】
従来、デジタル信号を伝送する方法として、伝送帯域内に多数の直行する副搬送波を設け、それぞれの副搬送波の振幅および位相にデータを割り当てるＯＦＤＭ方式が知られている。ＯＦＤＭ方式では、送信局においてＩＦＦＴ（Inverse Fast Fourier Transform）を利用した変調が行われ、受信局においてＦＦＴ（Fast Fourier Transform）を利用した復調が行われる。このため、ＯＦＤＭ方式は、周波数利用効率が高く、地上波デジタル放送へ適用されている。
【０００３】
このようなＯＦＤＭ方式については、その通信状態を推定するために、伝送路特性を認識するための技術が多く知られている。
特許文献１は、ＯＦＤＭ受信装置において、伝送におけるエラー発生状態を表す信号を生成し、このエラーフラグ信号のエラーフラグ数に応じて画像数を増減させて表示することで、ユーザに通信状態を認識させる技術が開示されている。
【先行技術文献】
【特許文献】
【０００４】
【特許文献１】特開２００２−１７１２４３号公報。
【発明の概要】
【発明が解決しようとする課題】
【０００５】
しかし、特許文献１は、受信機からのエラーフラグ信号のエラーフラグ数に応じて画像数を増減させて表示してはいるが、周波数軸上の伝送路特性を表現することができていないという問題がある。
本発明は、ＯＦＤＭ受信機の伝送路特性を周波数軸上に関連付けて画面に表示することで伝送路特性の把握を容易とするＯＦＤＭ受信機を提供することを目的とする。
【課題を解決するための手段】
【０００６】
課題を解決する一実施形態は、
受信したＯＦＤＭ信号をフーリエ変換するＦＦＴ部（１４）と、
前記ＦＦＴ部にてフーリエ変換されたＯＦＤＭ信号のサブキャリアを復調してサブキャリア復調情報を出力し、このサブキャリア復調情報に基づいて複数の周波数に対応するＭＥＲ信号とＩＱ信号の少なくとも一方を出力する復調部（１５）と、
前記復調部からのＭＥＲ信号とＩＱ信号の少なくとも一方を出力する出力部（１７）と、
を具備することを特徴とするＯＦＤＭ受信機である。
【発明の効果】
【０００７】
複数のサブキャリア毎にＭＥＲ信号とＩＱ信号の値を出力することで、周波数軸に関連付けてＭＥＲ信号とＩＱ信号の値を外部ＰＣの画面に表示させることができるＯＦＤＭ受信機を提供することにより、復調時の誤り原因を容易に推定することができる。
【図面の簡単な説明】
【０００８】
【図１】本発明の一実施形態に係る受信システムの構成の一例を示すブロック図。
【図２】同じくＯＦＤＭ受信機の構成の一例を示すブロック図。
【図３】同じく受信システムにより表示される設定画面の一例を示す説明図。
【図４】同じく受信システムにより表示される受信レベル画面の一例を示す説明図。
【図５】同じく受信システムにより表示されるＭＥＲ・ＩＱモニタ画面の一例を示す説明図。
【図６】同じく受信システムにより表示されるＭＥＲ・ＩＱモニタ画面の他の一例を示す説明図。
【図７】同じくＯＦＤＭ受信機の他の構成の一例を示すブロック図。
【図８】同じくＯＦＤＭ受信機の構成である復調情報処理部の構成の一例を示すブロック図。
【図９】同じく受信システムにより表示される他の設定画面の一例を示す説明図。
【図１０】同じく受信システムにより表示される受信レベル画面の他の一例を示す説明図。
【図１１】同じく受信システムにより表示されるＭＥＲ・ＩＱモニタ画面の他の一例を示す説明図。
【発明を実施するための形態】
【０００９】
以下、この発明の実施の形態について図面を参照して詳細に説明する。  
本発明の一実施形態に係るＯＦＤＭ受信機の構成を図１および図２を用いて以下に詳細に説明する。本発明の一実施形態に係るＯＦＤＭ受信機を含む受信システムは、図１に示すように、ＯＦＤＭ受信機１とＩＱ・ＭＥＲモニタ用のパーソナルコンピュータ３とこれに接続されるディスプレイ４からなる。ＯＦＤＭ受信機１は、図２に示すように、アンテナ１１に接続されたＡ／Ｄ変換部１２と、その後段のＤＳＰ（Digital Signal Processor）２からなる。ＤＳＰ２は、Ａ／Ｄ変換部１２の後段のガードインターバル除去部１３と、ＦＦＴ（Fast Fourier Transform）１４と、複数のサブキャリア復調部１５と、パラレルシリアル変換部１６と、パーソナルコンピュータ３から制御情報６ｄを受け情報出力５ｄを出力する復調情報出力部１７を有している。また、ＯＦＤＭ受信機１とＩＱ・ＭＥＲモニタ用のパーソナルコンピュータ３は、一例として、ＬＡＮ（Local Area Network）等のインタフェースで接続されている。また、パーソナルコンピュータ３には、ＯＦＤＭ受信機１からの伝送路特性を表示するためのＩＱ・ＭＥＲモニタ用のコンピュータプログラムがインストールされている。
【００１０】
次に、本発明の一実施形態であるＯＦＤＭ受信機内の動作を以下に説明する。ＯＦＤＭ受信機１に入力され、Ａ／Ｄ変換部１２にてデジタル信号化されたＯＦＤＭ信号１ｄは、ＤＳＰ２へと入力される。ＤＳＰ２内では、ガードインターバル除去部１３においてガードインターバルが除去する。また、ガードインターバル除去部１３、は同時に受信レベル情報を復調情報出力部１７に供給する。その後、ガードインターバルが除去されたＯＦＤＭ信号１ｄは、ＦＦＴ部１４でＦＦＴを施され、サブキャリア復調部１５で各サブキャリア毎の復調が行われる。また、この際に複数のサブキャリア復調部１５は、各サブキャリアに対応するＭＥＲ信号とＩＱ信号を復調情報出力部１７に供給する。その後、パラレルシリアル変換部１６でパラレルシリアル変換が行われ、変換された復調データ２ｄが出力される。
【００１１】
このようなＯＦＤＭ受信機１の復調処理の一方で、復調情報出力部１７により、ＤＳＰ２の復調処理の各ブロック間における情報が、ＯＦＤＭ受信機１の外部へ出力される。すなわち、復調情報出力部１７は、パーソナルコンピュータ３から送られた制御情報６ｄに従って、ＯＦＤＭ復調処理の各処理ブロックにおけるどの情報をパーソナルコンピュータ３に送るかを選択し、選択された情報がＯＦＤＭ受信機１の外部へ情報出力５ｄとして出力される。具体的には、復調情報出力部１７は、制御情報６ｄがガードインターバル除去部１３を指定している時は、ガードインバーバル除去部１３からの受信データに基づく『受信レベル情報３ｄ』をパーソナルコンピュータ３に出力する。また、復調情報出力部１７は、制御情報６ｄがサブキャリア復調部１５を指定している時は、サブキャリア復調部１５から供給される各サブキャリア復調信号に基づいて複数の周波数に対応した『ＭＥＲ・ＩＱモニタ情報４ｄ』をパーソナルコンピュータ３に出力する。
【００１２】
次に、パーソナルコンピュータ３において実行されるＩＱ・ＭＥＲモニタ用のコンピュータプログラムの動作について以下に説明する。このＩＱ・ＭＥＲモニタ用のコンピュータプログラムは、パーソナルコンピュータ３の記憶領域に格納され、パーソナルコンピュータ３のＣＰＵ等の制御部により実行される。
【００１３】
図３は、ＩＱ・ＭＥＲモニタ用のコンピュータプログラムの設定画面Ｄ１の一例を示している。パーソナルコンピュータ３の制御部はＩＱ・ＭＥＲモニタ用のコンピュータプログラムを実行することで、ディスプレイ４に表示される設定画面Ｄ１において、出力情報３１では、ＯＦＤＭ受信機の復調情報出力部１７で出力するデータ内容を選択する。出力情報３１において、『受信レベル』が選択された時は、図４の表示画面Ｄ２に示すように、受信レベルが表示される。出力情報３１において、『ＭＥＲ・ＩＱ』が選択された時は、ＭＥＲ・ＩＱ３２内のＭＥＲ項目３４で、サブキャリアに対するＭＥＲの表示間隔を入力する。
【００１４】
パーソナルコンピュータ３の制御部はＩＱ・ＭＥＲモニタ用のコンピュータプログラムを実行することで、ディスプレイに表示される設定画面Ｄ１において、ＩＱ項目３５内では、ＭＥＲを表示するサブキャリア間隔に対して、出力するＩＱモニタの数がＭＥＲに対して何本毎であるかをユーザの操作に応じて入力する。表示方式項目３６内では、ＭＥＲ・ＩＱ表示の仕方を決定しており、『１画面』選択時は、画面内に全てのサブキャリア情報を表示し、『スクロール』選択時は、画面内のスクロールバーで表示するエリアを変更することになる。
【００１５】
同様に、パーソナルコンピュータ３の制御部はＩＱ・ＭＥＲモニタ用のコンピュータプログラムを実行することで、ディスプレイに表示される設定画面Ｄ１において、表示更新間隔項目３３内で、『１０ｍｓ』、『５０ｍｓ』、『２００ｍｓ』、『５００ｍｓ』の各時間をユーザの操作に応じて選択することで、復調情報出力間隔を変更する。設定完了後、モニタ画面に戻るボタン３７を押下することで、復調情報出力画面に切り替わる。
【００１６】
次に、パーソナルコンピュータ３の制御部はＩＱ・ＭＥＲモニタ用のコンピュータプログラムを実行することで、ディスプレイ４に表示される設定画面Ｄ１において、図４に示すような受信レベルの表示画面Ｄ２を表示する。すなわち、表示画面Ｄ２では、図２のガードインターバル除去部１３にて算出した受信信号の電力値３８が、設定した更新間隔毎に表示される。
【００１７】
一方、図５に示すＩＱモニタの表示画面Ｄ３のＩＱ表示エリア４１では、図３の設定画面Ｄ１で設定したＩＱ項目３５の『サブキャリア間隔』で入力した本数分のデータを表示する。ここでは、「２」本分を入力した例を示している。
また、図５は、ＭＥＲ・ＩＱモニタの表示画面Ｄ３を示している。ＭＥＲ表示エリア４２では、図３の設定画面Ｄ１のＭＥＲ項目３４においてサブキャリア間隔の本数毎にＭＥＲ測定値を平均した値を出力する。ここでは、「３」を入力した例を示している。
【００１８】
図６は、図３の設定画面Ｄ１の表示方式３６において、『スクロール』を選択した場合の表示画面Ｄ３’を示す。このＭＥＲ・ＩＱモニタの表示画面Ｄ３’では、下部にスクロールバー４３が表示され、左右に移動させることで、画面内に表示しきれていないサブキャリアのデータを表示することができる。
【００１９】
・情報処理
次に、ＯＦＤＭ受信機から出力する復調情報をＤＳＰ２内で所定の情報処理（例えば正規化処理等）することで、ＰＣ上での表示をより効果的に視覚に訴える手法について説明する。上述したＯＦＤＭ受信機１においては、復調情報出力部１７は各ブロックから受け取ったデータをそのままパーソナルコンピュータ３へと出力するようになっている。
【００２０】
これに対して、図７に示す所定の情報処理を行うＯＦＤＭ受信機においては、ＯＦＤＭ受信機１内のＤＳＰ２の構成は図３とほぼ同じであるが、復調情報出力部１７の前にさらに復調情報処理部１８を配置している。これにより、復調情報処理部１８により所定の情報処理が行われた『受信レベル情報３ｄ』または『ＭＥＲ・ＩＱモニタ情報４ｄ』が復調情報出力部１７に供給される。従って、復調情報処理部１８により所定の情報処理されたデータが、復調情報出力部１７からパーソナルコンピュータ３へ情報出力５ｄとして供給される。
【００２１】
図８に復調情報処理部１８の構成について示す。所定の情報処理の一例として、データの正規化を行った場合について示す。復調情報処理部１８においては、復調情報入力部２１により入力されたＭＥＲ・ＩＱモニタ情報４ｄを復調情報正規化部２２で正規化し、正規化後の情報を正規化後処理情報出力部２３により出力する。正規化処理を行うために、入力値の最小値、最大値を予め既知情報として記憶領域に記憶している。復調情報を正規化して出力することで、パーソナルコンピュータ３においては、グラフ表示を行うことができる。
【００２２】
図９は、所定の情報処理を伴うＩＱ・ＭＥＲモニタ用のコンピュータプログラムの設定画面Ｄ１’を示している。このＩＱ・ＭＥＲモニタ用のコンピュータプログラムの設定画面Ｄ１’での出力データ項目３９において、『生データ』を選択した場合は図５、図６のように復調情報が出力されるが、『処理データ』を選択した場合は、図１０および図１１に示すように復調情報処理部１８にて処理されたデータをパーソナルコンピュータ３に供給することで、パーソナルコンピュータ３は、復調情報処理部１８にて正規化処理されたデータを表示することができる。
【００２３】
すなわち、図１０は、受信レベルの処理データの表示画面Ｄ２’を示している。パーソナルコンピュータ３の制御部はＩＱ・ＭＥＲモニタ用のコンピュータプログラムを実行することで、ディスプレイ４に表示される設定画面Ｄ２’において、正規化処理した受信レベル情報を用いることで、生データに比較してより視覚的にわかりやすい表示を行うことができる。すなわち、正規化を行った場合、受信レベル情報の最大値と最小値があらかじめ分かっているため、受信レベルデータをグラフ３８’にして表すことができる。
【００２４】
また、図１１は、ＭＥＲ・ＩＱモニタの処理データの表示画面Ｄ３”を示している。こちらも、パーソナルコンピュータ３の制御部はＩＱ・ＭＥＲモニタ用のコンピュータプログラムを実行することで、ＯＦＤＭ受信機から正規化したＭＥＲ・ＩＱモニタ信号を受信し、これらの信号に基づいて、ＩＱの値をＩＱ表示エリア４１’およびＭＥＲの値をグラフ４２’のように最大値と最小値を加味した視覚的にわかりやすい画面表示を行うことができる。
【００２５】
以上、説明したように、本発明を実施することで、ＯＦＤＭ受信機によるＯＦＤＭ信号の復調時、周波数毎の伝送路特性情報の把握に効果を発揮し、復調時の誤り原因推定に有用となる。
なお、上述した実施形態においては、パーソナルコンピュータ３でのコンピュータプログラムより行われた設定画面Ｄ１をディスプレイ４に表示可能に画像データを生成したり、設定画面Ｄ１の設定に応じて、ＭＥＲ信号とＩＱ信号の値をディスプレイ４に表示させる働きは、同様の機能をもった回路ブロックをＯＦＤＭ受信機１内に設けて、この回路ブロックの働きとして行うことも可能である。この場合は、外部の装置としてパーソナルコンピュータ３でのコンピュータプログラムは不要となり、ディスプレイ４のみで表示することも可能となる。
【００２６】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２７】
１…ＯＦＤＭ受信機、２…ＤＳＰ（Digital Signal Processor）、３…パーソナルコンピュータ、１１…アンテナ、１２…Ａ／Ｄ変換部、１３…ガードインターバル除去部、１４…ＦＦＴ（Fast Fourier Transform）、１５…サブキャリア復調部、１６…パラレルシリアル変換部、１７…復調情報出力部、１８…復調情報処理部、２１…復調情報入力部、２２…復調情報正規化部、２３…正規化処理情報出力部。
【図１】
2011239039.tif 000003
【図２】
2011239039.tif 000004
【図３】
2011239039.tif 000005
【図４】
2011239039.tif 000006
【図５】
2011239039.tif 000007
【図６】
2011239039.tif 000008
【図７】
2011239039.tif 000009
【図８】
2011239039.tif 000010
【図９】
2011239039.tif 000011
【図１０】
2011239039.tif 000012
【図１１】
2011239039.tif 000013